(57)【要約】［課題］電柱は電線と電話線を張るための利用がほとんどであった。電柱は道路上で大変邪魔な存在である。しかし大変重要な役目もある。できればこのある電柱並びに道路スペース等を今よりより有効に利用することを課題とする。［解決手段］従来の電柱の上部に風力発電装置、太陽光装置を取りつける。また、路上の空間をよりエネルギー生産に役立つようにブリッジをつけることにより有効利用を図る。限られた都市空間、居住空間の中で簡易に安価に自然エネルギーを作り、供給できる多目的、多機能に構成された電柱。【選択図】図６
2005036779.tif 000002
【特許請求の範囲】
【請求項１】
電柱に風力発電装置を取り付ける電柱。
【請求項２】
電柱に太陽光発電装置を取り付けることを特徴とする請求項１に記載の電柱。
【請求項３】
電柱にブリッジを取り付けることを特徴とする請求項１〜２のいずれかに記載の電柱。
【請求項４】
電柱に電光掲示版、電光式交通標識、装飾、公害防止装置、燃料製造装置を施すことを特徴とする請求項１〜３のいずれかに記載の多目的な電柱。
【請求項５】
電柱の形状がＵ字型、Ｖ字型、Ｈ字型、コの字型、やぐら型、鳥居型をしたことを特徴とする請求項１〜４のいずれかに記載の多目的な電柱。
【請求項６】
リフト、ゴンドラ、モノレール、新交通システム、アーケード、タンク、倉庫、他発電装置、設備、荷物、空間を有効に活かせることを特徴とする請求項１〜５のいずれかに記載の多目的な電柱。
【発明の詳細な説明】
【発明の詳細な説明】
［発明の属する技術分野］
【０００１】本発明は、風力発電装置、太陽光発電装置、その他燃料電池をはじめいろいろなものを設置できる、電柱への設置構成方法に関するものである。［従来の技術］
【０００２】従来の電柱は、電線と電話線をはるための利用がほとんどであった。もちろん地中化は良いが、やはり費用がかかる。電柱は道路上で大変邪魔な存在である。景観も崩してしまう。日常生活において、大変重要な役目があるし、なくてはならないのであるならば、このスペースや、電柱のより有効利用がはかれないか、多くの問題がある。［発明が解決しようとする課題］
【０００３】現在の我が国では、国民の日常生活をする際に電気電話はなくてはならない。そのためには電柱というものはなくてはならない。電線や電話線（照明）のみの利用ではあるが、より有効な利用方法がないかということになる。
【０００４】そこで本発明は、電柱があるのであるなら、なくすことはできても費用がかかるゆえあるのであるなら、このある電柱並びに道路スペース等を今よりより有効に利用することを課題とする。［課題を解決するための手段］
【０００５】前記課題を解決するため本発明は、少なくとも電柱１に風力発電装置２をソケット４２、ボルト４で取り付ける。又、電柱１に太陽光発電装置５を取り付ける。また、ブリッジ６を取り付ける。［発明の実施の形態］
【０００６】以下に本発明の実施形態について、図面を用いて詳細に説明する。図１は本発明に係わる電柱の正面図。図２は電柱の側面図。図３は電柱にブリッジをかけ風力発電装置を複数取り付けた状態の正面図。図４は電柱にブリッジをかけ、太陽光発電装置を複数取り付けた状態の正面図。図５は電柱に三角ブリッジをかけ、太陽光発電装置を複数取り付けた状態の正面図。図６は道路上（道路をまたいだ）にブリッジを取り付けた状態の正面図。図７は線路上（線路をまたいだ）にブリッジを取り付けた状態の正面図。図８は多目的機能が図れるＵ字型電柱を取り付けた状態の正面図。図９は多目的機能を図れるＶ字型電柱を取り付けた状態の正面図。図１０は多目的機能を図れるＶ字型電柱を取り付けた状態の側面図。図１１はブリッジを複数使用することによってアーケード構成のできる電柱の斜視図。図１２は多目的機能が図れるやぐら型電柱を取り付けた状態の正面図。図１３は風力発電装置を継手式で取り付けた状態の正面図。図１４は多種ある中の一種のブリッジの構造を示す正面図。図１５はブリッジの中に支柱を設け、風力発電装置をしっかりと設置することができるブリッジの正面図。図１６は多種ある中の一種の太陽光発電装置を電柱に取り付けた状態の側面図。図１７は多種ある中の一種の太陽光発電装置を電柱に取り付けた状態の正面図。図１８は横回転方式の風力発電装置の正面図。図１９は横風車式の発電装置の正面図。図２０は建物間にブリッジを取り付けた状態の正面図。図２１は建物と一体に取り付けたコの字型電柱の正面図。図２２は家の四方にＵ字型電柱を取り付けた状態の斜視図。図２３は家の四方にＶ字型電柱を取り付けた状態の斜視図。図２４は風力発電装置に集風器を取り付けた状態の側面図。図２５は風車を家に取り付けた状態の斜視図。図２６は横回転方式の風車を建物の屋上に取り付けた状態の正面図。図２７は電柱を建物の上部に取り付けた状態の正面図。図２８はコの字型電柱を家に取り付けた状態の正面図。図２９は電柱に燃料電池装置、水槽、タンクを取り付けた状態の正面図。図３０はデザイン風車を取り付けた状態の正面図である。
【０００７】本発明の電柱を用いることにより、通常電線や電話線のための電柱が、よりエネルギー供給の面でも活用がはかれるようになる。普段邪魔者扱いされている電柱も、見直されることにもなる。まず、図１、図２に基づき本発明の実施形態について説明する。この電柱１は上部に風力発電装置２を取り付ける。また電柱上部ないし側面に太陽発電装置５を取り付けてある。また変圧器１１を取り付けてある。また、プレート４０に取り付けてある太陽光発電装置２の上部には鳥よけ汚れ取りの回転装置、鳥よけクリーナー１２を取り付けてある。また下部には電光掲示版１０や電飾版、立体看板等立地の状況でいろいろと取り付けることができる。
【０００８】図３、図４に基づき、このように形成された電柱１に、ブリッジ６をかけることによりスペースをより作ることで、発電装置等の数を増やすことができる。
【０００９】図５に基づき、電柱１と電柱１の間に三角型ブリッジ１３をかけることによって日照率をより良くし、太陽光発電の効率をより高めることができる。
【００１０】図６、図７に基づき、実施形態について説明する。道路の両端に電柱１を置き、そこにブリッジ６をかける。路上という空きスペースを有効に活かし、エネルギー生産供給に役立てる。また、図７は、同じく線路上を利用し限られた空きスペースを利用しエネルギー生産供給をする。
【００１１】図８、図９、図１０に基づき、実施形態について説明する。Ｕ字型電柱１７を設置することにより左右一体形の電柱を作ることで電柱１とブリッジ６を組み合わせ、組み立てることなく一体で形を作る。例えば道路の両端に設置することで電柱の機能だけでなく、より多くの機能を持つ多目的電柱となる。勿論構造しだいで強度を上げることもできる。そうすることによりいろいろなものも数多く備え取り付けることができる。風力発電装置２、太陽光発電装置５、燃料電池装置等も取り付け可能であり、変圧器や変電、供給設備等、また、モノレール１９、ゴンドラ２０、リフト２１、新交通機関等との組み合わせも可能である。他にもガス管、水道管等とも取り付けることは可能である。図９のＶ字型電柱２２も機能は同じである。立地によって形状も自由にでき、調整もできる。変形な形もできる。図１０は、Ｖ字型電柱２２の側面に太陽光発電装置５を取り付けてある。
【００１２】図１１、図１２に基づき、実施形態について説明する。図１１は電柱１とブリッジ６を組み合わせることによって、アーケードを作ることができる。装備はいろいろできる。また、商店街の中の邪魔者だった電柱を有効利用できる。カラフルな装飾も可能であり、楽しい街作りができる。やぐらを組むことでいろいろなスペース利用もできる。図１２は、やぐら型電柱２３や、舞台型も勿論できる。限られたスペースの中でより大きなプロペラを取り付け発電能力を高めることができる。
【００１３】図１３、図１４、図１５に基づき実施形態について説明する。図１３は電柱に風力発電装置２を継手２４で接続する。図１４は多種ある中の一種のブリッジである。形、長さ、重量、強度等の調整は自由にできる。用途によって作ることができる。素材も自由にできる。図１５は同じブリッジ６の一つであるが、ブリッジの中に支柱を設け風力発電装置をしっかりと設置できる風力発電装置用ブリッジ２５である。電柱１に取り付けて固定しその支柱に風力発電装置２を固定する。
【００１４】図１６、図１７に基づき、実施形態について説明する。図１６は太陽光発電装置５を太陽光発電装置用取り付け具２６で取りつける。図１７も同様である。太陽発電装置用取り付け具２６は、角度調整することができる。日差しの方向に有効に設置できる。
【００１５】図１８、図１９に基づき、実施形態について説明する。図１８は横回転式の風力発電装置２７であり、場所、スペース、周囲の環境により、選択できる。図１９は横型風車２８を電柱１に取り付ける。上部には太陽光発電装置５が取り付けてあり、そのまた上部に鳥よけクリーナー１２が付いている。鳥よけクリーナー１２は、鳥よけ、太陽光発電パネルの掃除等できる。
【００１６】図２０、図２１に基づき、実施形態について説明する。図２０は建物２９と建物２９の間にブリッジ６を取り付けたものであり、電柱１をなくし建物の構造の中に電柱機能を計画的に又後付にも組み入ることができる。電柱１なしで街並みができる。建物２９に電柱１を組み入れることもできる。図２１は建物２９の構造の中に電柱１施設を組み入れることができる。これも電柱１なしで街並みができる。
【００１７】図２２、図２３、図２４に基づき実施形態について説明する。図２２は、Ｕ字型電柱１７を家の四方に取り付け、ブリッジ６で固定する。Ｕ字型電柱１７は家をカバーする形にもなり、一つに家、建物の耐震構造の強化、また防火設備をつけることによって、防火対策も図れる。図２３はＶ字型電柱２２の形であり、機能は同様であり、装着品はそれぞれ適用によって異なる。用途によって自由にできる。図２４は、風力発電装置２に集風器３１を取りつけることにより弱い風でもプロペラ３の回転を上げるために取り付けたものである。
【００１８】図２５、図２６、図２７、図２８に基づき、実施形態について説明する。図２５は、風力発電装置２を家に取り付けた状態の物である。オランダにある風車の現代版である。これは縦回転式ではあるが、横回転式風力発電装置２７、横型風車２８等でもできる。場所、スペース、周囲の環境により選ぶことができる。図２６は工場、オフィスビル、マンション、家等の建物の屋上に横回転式風力発電装置２７を取り付けたものである。これは、大型なものであるが、小型のものを複数つけることも可能であり、勿論縦回転式のものも同様である。図２７は、建物２９の上に電柱を取り付けたもので一体構造でも後付でもできる。そうすることによって路上に電柱１を設置しなくてもすむ。  街づくりを計画的にすればいろいろなことが生まれ、できる。図２８は、コの字型電柱３０を建物にそって固定する。風力発電装置２は大、小、縦回転式でも横回転式でもいろいろ用途に応じてできる。太陽光発電装置５も取り付けることもできる。
【００１９】図２９に基づき、実施形態について説明する。電柱１に風力発電装置２、太陽光発電装置５を取り付け、その電力を利用し電気分解させ、酸素と水素にしタンク３５に分け、水素は燃料電池装置３３の燃料にする。そのため水を水槽３４で貯え供給する。また、それと付随して雨水タンクも常設してある。
【００２０】図３０に基づき、実施形態について説明する。電柱１の上部に風力発電装置２を取り付けるが、その風車をデザイン的なものにする。遊び心や、ムード、景観に合わせ風車をデザインする。縦、横風車等、いろいろできる。例えば、インド風とかイスラム風とか、カラフルとか等いろいろできる。見て楽しい遊び心のあるデザインをする。できる風車である。設備の組み合わせは自由にできる。
【００２１】以上、本発明の実施形態について説明したが、上述の説明に基づいて当業者とって種々の代替例、修正又は、変形を包含するものである。［発明の効果］
【００２２】  以上のように本発明によれば、今までに邪魔扱いされてきた電柱を、エネルギー発生供給できる拠点とすることができ、都市の中でも手軽に電気を作ることができ、スペースも路上、線路上等、街中の限られた空間の中にも設けることができ、又、需要消費地が近いということで、効率化、合理化をはかれる。商店街などにも電柱を利用したアーケードが簡単にでき、住宅、マンションにも利用できる。電柱の強度を上げることができ、建物の耐震構造の強化、補強になり、消火設備を付けることによって防火対策にも役立つ。なおかつ、そのものより電気を発生、供給できるという多くの利点がもてる。又、ただ単に邪魔くさい電柱をエネルギー発生、供給をはじめ、新交通の利用など、多目的に今まで以上に有功に利用することができる。都市ではビル風を利用することもできる。また、電柱下部の電光掲示版のところは立体看板をはじめ、空気清浄機、ＣＯ、ＣＯ２除去装置、光触媒を利用したもの、公害防止装置等、いろいろな装飾を施すこともでき商店街のイメージアップや、景観、ムードアップに役に立つ。ライトアップ、イルミネーション等をつけられる。自分のところで作った電気を自分たちで有効に活かす工夫ができ、売電もできる。勿論、現在ある電柱にも施すこともできる。後付も十分できる。一般家庭でもできる。家、建築物の構造の中に組み入れることもできる。道路、鉄道、高速道路、空港，港湾等さまざまな所で簡単に利用できる。キッドで作ればコストがより安くなる。電柱だけでなく、路上の街灯、信号ポール、鉄柱、ポール、鉄塔、運動場、ゴルフ場のポール、あらゆるポール等利用が広範でもある。また、ブリッジを利用すればより利用範囲が広がる。今まで景観などの邪魔といわれた電柱等が、エネルギー発生、供給の拠点となり、今まで邪魔者の存在が市民権を得ることになる。このような構想で電柱の見方がかなり変化する。また、これから完成する大、小燃料電池などの、設置場所としても利用でき、タンク、いろいろな収納、トランクルーム的なものも可能となる。このようにすることにより、地球温暖化、地球環境に配慮した再生可能エネルギーとして都市部の限られたスペースを有効に生かし簡易に安価で自然エネルギーを作り上げ、供給することができる。
【図面の簡単な説明】
【００２３】
【図１】本発明に係わる電柱の正面図。
【図２】電柱の側面図。
【図３】電柱にブリッジをかけ、風力発電装置を複数取り付けた状態の正面図。
【図４】電柱にブリッジをかけ、太陽光発電装置を複数取り付けた状態の正面図。
【図５】電柱に三角型ブリッジをかけ、太陽光発電装置を複数取り付けた状態の正面図。
【図６】道路上にブリッジを取り付けた状態の正面図。
【図７】線路上にブリッジを取り付けた状態の正面図。
【図８】多目的機能が図れるＵ字型電柱を取り付けた状態の正面図。
【図９】多目的機能を図れるＶ字型電柱を取り付けた状態の正面図。
【図１０】多目的機能を図れるＶ字型電柱を取り付けた状態の側面図。
【図１１】ブリッジを複数使用することによってアーケード構成のできる電柱の斜視図。
【図１２】多目的機能が図れるやぐら型電柱を取り付けた状態の正面図。
【図１３】風力発電装置を継手式で取り付けた状態の正面図。
【図１４】多種ある中の一種のブリッジの構造を示す正面図。
【図１５】ブッリジの中に支柱を設け、風力発電装置をしっかりと設置することができるブリッジの正面図。
【図１６】多種ある中の一種の太陽光発電装置を電柱に取り付けた状態の側面図。
【図１７】多種ある中の一種の太陽光発電装置を電柱に取り付けた状態の正面図。
【図１８】横回転方式の風力発電装置の正面図。
【図１９】横風車式の発電装置の正面図。
【図２０】建物間にブリッジを取り付けた状態の正面図。
【図２１】建物と一体に取り付けたコの字型電柱の正面図。
【図２２】家の四方にＵ字型電柱を取り付けた状態の斜視図。
【図２３】家の四方にＶ字型電柱を取り付けた状態の斜視図。
【図２４】風力発電装置に集風器を取り付けた状態の側面図。
【図２５】風車を家に取り付けた状態の斜視図。
【図２６】横回転方式の風車を建物の屋上に取り付けた状態の正面図。
【図２７】電柱を建物の上部に取り付けた状態の正面図。
【図２８】コの字型電柱を家に取り付けた状態の正面図。
【図２９】電柱に燃料電池装置、水槽、タンクを取り付けた状態の正面図。
【図３０】デザイン風車を取り付けた状態の正面図。
【符号の説明】
【００２４】  １  電柱  ２  風力発電装置  ３  プロペラ  ４  ボルト  ５  太陽光発電装置  ６  ブリッジ  ７  電線  ８  支柱  ９  電話線１０  電光掲示版１１  変圧器１２  鳥よけクリーナー１３  三角型ブリッジ１４  電飾看板１５  信号１６  自動車１７  多目的機能Ｕ字型電柱１８  レール１９  モノレール２０  ゴンドラ２１  リフト２２  多目的機能Ｖ字型電柱２３  多目的機能やぐら型電柱２４  継手２５  風力発電装置用ブリッジ２６  太陽光発電装置用取り付け具２７  横回転式風力発電装置２８  横型風車２９  建物３０  コの字型電柱３１  集風器３２  垂直翼３３  燃料電池装置３４  水槽３５  タンク３６  公害防止装置３７  電光式道路標識３８  電車３９  雨水タンク４０  プレート４１  デザイン風車４２  ソケット
【図１】
2005036779.tif 000003
【図２】
2005036779.tif 000004
【図３】
2005036779.tif 000005
【図４】
2005036779.tif 000006
【図５】
2005036779.tif 000007
【図６】
2005036779.tif 000008
【図７】
2005036779.tif 000009
【図８】
2005036779.tif 000010
【図９】
2005036779.tif 000011
【図１０】
2005036779.tif 000012
【図１１】
2005036779.tif 000013
【図１２】
2005036779.tif 000014
【図１３】
2005036779.tif 000015
【図１４】
2005036779.tif 000016
【図１５】
2005036779.tif 000017
【図１６】
2005036779.tif 000018
【図１７】
2005036779.tif 000019
【図１８】
2005036779.tif 000020
【図１９】
2005036779.tif 000021
【図２０】
2005036779.tif 000022
【図２１】
2005036779.tif 000023
【図２２】
2005036779.tif 000024
【図２３】
2005036779.tif 000025
【図２４】
2005036779.tif 000026
【図２５】
2005036779.tif 000027
【図２６】
2005036779.tif 000028
【図２７】
2005036779.tif 000029
【図２８】
2005036779.tif 000030
【図２９】
2005036779.tif 000031
【図３０】
2005036779.tif 000032